(57)【要約】【課題】光ディスクに対するデータの記録回数に制限されることなく、データの記録が行える光ディスク記録装置を提供する。【解決手段】光ディスク記録装置１は、本体にセットされている光ディスク１０にデータを記録するとき、この光ディスク１０の所定の領域に最適記録パワーのデータが記録されているかどうかを確認し、記録されていなければＯＰＣを実行し、この光ディスク１０に対する最適記録パワーを取得する。そして、ここで取得した最適記録パワーをこの光ディスク１０の所定の領域に記録する。また、光ディスク１０の所定の領域に最適記録パワーのデータが記録されていると、ＯＰＣを実行することなく、この最適記録パワーでデータの記録を行う。【選択図】図１
2004342148.tif 000002
【特許請求の範囲】
【請求項１】
本体にセットされた光ディスクにレーザ光を照射し、データを記録する光ディスク記録装置において、
本体にセットされている光ディスクにデータを記録するとき、この光ディスクのＯＰＣ領域に、記録時におけるレーザ光の最適記録パワーが記録されているかどうかを確認し、記録されていればこの最適記録パワーを読み取る最適記録パワー読取手段と、
上記最適記録パワー読取手段により、光ディスクの上記ＯＰＣ領域から上記最適記録パワーの読み取りができなかったとき、記録時におけるレーザ光の最適記録パワーを得るために、本体に対してセットされている光ディスクのＯＰＣ領域に対してレーザパワーを変化させながらデータを記録するＯＰＣを実行するＯＰＣ手段と、
上記ＯＰＣ手段により取得した、上記最適記録パワーを光ディスクの上記ＯＰＣ領域に記録する最適記録パワー記録手段と、
上記最適記録パワー読取手段により、光ディスクの所定の領域から上記最適記録パワーを読み取ったとき、上記ＯＰＣ手段によるＯＰＣを実行することなく、ここで読み取った上記最適記録パワーに基づいてデータを記録し、上記最適記録パワー読取手段により光ディスクの所定の領域から上記最適記録パワーの読み取りができなかったとき、上記ＯＰＣ手段により取得した最適記録パワーに基づいてデータを記録する記録手段と、を備え、
上記ＯＰＣ手段は、本体にセットされている光ディスクの種別を判別し、光ディスクの種別毎に上記レーザパワーの設計値を管理するインタネット上の管理装置に対してアクセスし、本体にセットされている光ディスクの種別に対応するレーザパワーの設計値を取得し、ここで取得したレーザパワーの設計値を基にしてＯＰＣを実行する光ディスク記録装置。
【請求項２】
本体にセットされた光ディスクにレーザ光を照射し、データを記録する光ディスク記録装置において、
本体にセットされている光ディスクにデータを記録するとき、この光ディスクの所定の記録領域に、記録時におけるレーザ光の最適記録パワーが記録されているかどうかを確認し、記録されていればこの最適記録パワーを読み取る最適記録パワー読取手段と、
上記最適記録パワー読取手段により、光ディスクの上記所定の記録領域から上記最適記録パワーの読み取りができなかったとき、記録時におけるレーザ光の最適記録パワーを得るために、本体に対してセットされている光ディスクのＯＰＣ領域に対してレーザパワーを変化させながらデータを記録するＯＰＣを実行するＯＰＣ手段と、
上記ＯＰＣ手段により取得した、上記最適記録パワーを光ディスクの上記所定の領域に記録する最適記録パワー記録手段と、
上記最適記録パワー読取手段により、光ディスクの所定の領域から上記最適記録パワーを読み取ったとき、上記ＯＰＣ手段によるＯＰＣを実行することなく、ここで読み取った上記最適記録パワーに基づいてデータを記録し、上記最適記録パワー読取手段により光ディスクの所定の領域から上記最適記録パワーの読み取りができなかったとき、上記ＯＰＣ手段により取得した最適記録パワーに基づいてデータを記録する記録手段と、を備えた光ディスク記録装置。
【請求項３】
上記ＯＰＣ手段は、本体にセットされている光ディスクの種別を判別し、ここで判別した種別の光ディスクについて、記録時におけるレーザパワーの設計値を取得し、ここで取得したレーザパワーの設計値を基にしてＯＰＣを実行する請求項２に記載の光ディスク記録装置。
【請求項４】
上記ＯＰＣ手段は、光ディスクの種別毎に上記レーザパワーの設計値を管理するインタネット上の管理装置に対してアクセスし、本体にセットされている光ディスクの種別に対応するレーザパワーの設計値を取得する請求項３に記載の光ディスク記録装置。
【請求項５】
上記最適記録パワー記録手段は、上記ＯＰＣ手段により取得した上記最適記録パワーを光ディスクのＯＰＣ領域に書き込む請求項２〜４のいずれかに記載の光ディスク記録装置。
【発明の詳細な説明】
【０００１】
【発明の属する技術分野】
この発明は、ＣＤ−Ｒ／ＲＷ、ＤＶＤ−Ｒ／ＲＷ等の光ディスクにデータを記録する光ディスク記録装置に関する。
【０００２】
【従来の技術】
従来、ＣＤ−Ｒ／ＲＷ、ＤＶＤ−Ｒ／ＲＷ等、データの書き込みが行える光ディスクに対してデータを記録する（書き込む）光ディスク記録装置では、本体にセットされている光ディスクにデータを記録するとき、データの記録に先立って以下に示すＯＰＣを行い、データの記録時におけるレーザ光の最適記録パワーを取得している。最適記録パワーとは、光ディスクに対するデータの記録が最適に行えるレーザパワーである。
【０００３】
データの記録に先立って行われるＯＰＣは、本体にセットされている光ディスクに設けられているＯＰＣ領域に対して、レーザ光のパワーを変動させながら試し書きを行い、最適記録パワーを確認する処理である。具体的には、この試し書きにおいて記録状態が最もよくなるレーザパワーを最適記録パワーとして取得する処理である。光ディスク記録装置は、ここで取得した最適記録パワーで本体にセットされている光ディスクにデータを記録する。
【０００４】
また、最適記録パワーは、同じ種別の光ディスクであれば、光ディスクの個体差により若干異なるだけであるが、種別が異なる光ディスク間では大きく異なることがある。したがって、ＯＰＣを実行するときに、本体にセットされている光ディスクについて、最適記録パワーの大きさがある程度わかっていないと、ＯＰＣにおいてレーザパワーを変動させる幅が大きくなり、ＯＰＣに要する時間が長くなる。そこで、光ディスク記録装置本体のメモリに光ディスクの種別毎にレーザパワーの基準値（最適記録パワーの設計値）を記憶させておくことや、光ディスクの製造メーカがインタネット上のサーバ装置で公開しているレーザパワーの基準値をダウンロードして取得することが、特許文献１で提案されている。この光ディスク記録装置は、ＯＰＣを行うときに、本体にセットされている光ディスクの種別を判別し、ここで判別した種別の光ディスクについてレーザパワーの基準値を本体のメモリ、またはインタネット上のサーバから取得する。そして、この基準値に基づいてＯＰＣを実行し、最適記録パワーを取得する。
【０００５】
【特許文献１】
特開２０００−３３９６８６号公報
【０００６】
【発明が解決しようとする課題】
しかしながら、従来の光ディスク記録装置は、光ディスクに対するデータの書き込みを行う度に、光ディスクに形成されているＯＰＣ領域においてＯＰＣを実行し、最適記録パワーを取得する構成であり、また光ディスクに設けられているＯＰＣ領域が有限の大きさであることから、ＯＰＣを実行する毎に使用可能なＯＰＣ領域が小さくなる。このため、光ディスクにおけるデータの記録領域にデータが記録されていない空き領域が残っていても、光ディスクに対するデータの記録を何度も繰り返していると、使用可能なＯＰＣ領域がなくなる。すると、これ以降光ディスクに対するデータの書き込みが行えなくなるという問題があった。このように、従来の光ディスク装置では、光ディスクに対するデータの記録が、データの記録回数により制限されていた。
【０００７】
この発明の目的は、光ディスクに対するデータの記録回数に制限されることなく、データの記録が行える光ディスク記録装置を提供することにある。
【０００８】
【課題を解決するための手段】
この発明の光ディスク記録装置は、上記課題を解決するために以下の構成を備えている。
【０００９】
（１）本体にセットされた光ディスクにレーザ光を照射し、データを記録する光ディスク記録装置において、
本体にセットされている光ディスクにデータを記録するとき、この光ディスクの所定の記録領域に、記録時におけるレーザ光の最適記録パワーが記録されているかどうかを確認し、記録されていればこの最適記録パワーを読み取る最適記録パワー読取手段と、
上記最適記録パワー読取手段により、光ディスクの上記所定の記録領域から上記最適記録パワーの読み取りができなかったとき、記録時におけるレーザ光の最適記録パワーを得るために、本体に対してセットされている光ディスクのＯＰＣ領域に対してレーザパワーを変化させながらデータを記録するＯＰＣを実行するＯＰＣ手段と、
上記ＯＰＣ手段により取得した、上記最適記録パワーを光ディスクの上記所定の領域に記録する最適記録パワー記録手段と、
上記最適記録パワー読取手段により、光ディスクの所定の領域から上記最適記録パワーを読み取ったとき、上記ＯＰＣ手段によるＯＰＣを実行することなく、ここで読み取った上記最適記録パワーに基づいてデータを記録し、上記最適記録パワー読取手段により光ディスクの所定の領域から上記最適記録パワーの読み取りができなかったとき、上記ＯＰＣ手段により取得した最適記録パワーに基づいてデータを記録する記録手段と、を備えている。
【００１０】
この構成では、本体にセットされている光ディスクにデータを記録するとき、最適パワー読取手段がこの光ディスクの所定の記録領域に、記録時におけるレーザ光の最適記録パワーが記録されているかどうかを確認し、記録されていれば、この最適記録パワーを読み取る。そして、最適記録パワー読取手段が光ディスクの所定の記録領域から最適記録パワーを読み取ったときには、記録手段がＯＰＣを実行せずに、この読み取った最適記録パワーで光ディスクに対するデータの記録を実行する。
【００１１】
また、最適記録パワー読取手段が本体にセットされている光ディスクから上記最適記録パワーを読み取ることができなかったときには（最適記録パワーが光ディスクに記録されていなければ）、ＯＰＣ手段がこの光ディスクのＯＰＣ領域を利用してＯＰＣを実行し、この光ディスクにおける最適記録パワーを取得する。また、最適記録パワー記録手段が、光ディスクの所定の記録領域、例えばＯＰＣ領域の最外周の記録領域や、データ領域の最内周の記録領域に、上記ＯＰＣ手段が取得した最適記録パワーを記録する。そして、記録手段がＯＰＣ手段により取得した最適記録パワーで光ディスクに対するデータの記録を実行する。
【００１２】
したがって、本装置で過去にデータを記録したことがない光ディスクについては、ＯＰＣを実行してレーザ光の最適記録パワーを取得し、ここで取得した最適記録パワーでデータの記録を行う。また、本装置で過去にデータを記録したことがある光ディスクについては、ＯＰＣを実行することなく、光ディスクから読み取ったレーザ光の最適記録パワーでデータの記録を行う。このため、ＯＰＣ領域に試し書きを行うのは、本装置において初めてデータを記録するときだけであり、２回目以降のデータの記録においてはＯＰＣ領域に試し書きを行わない。これにより、光ディスクに対するデータの記録回数に制限されることなく、この光ディスクに対してデータの記録が行える。また、光ディスクに記録されている最適記録パワーは、この光ディスクに対してＯＰＣを実行し、取得したものであるから、２回目以降のデータの記録においてもデータの記録が適正に行える。さらに、２回目以降の記録においては、ＯＰＣを実行しないので、その分だけデータの記録にかかる時間の短縮が図れる。
【００１３】
（２）上記ＯＰＣ手段は、本体にセットされている光ディスクの種別を判別し、ここで判別した種別の光ディスクについて、記録時におけるレーザパワーの設計値を取得し、ここで取得したレーザパワーの設計値を基にしてＯＰＣを実行する。
【００１４】
この構成では、本体にセットされている光ディスクに対してＯＰＣを行うときに、この光ディスクの種別を判別し、ここで判別した種別の光ディスクについてレーザパワーの設計値（最適記録パワーの設計値）を本体のメモリ、またはインタネット上のサーバから取得し、この基準値に基づいてＯＰＣを実行する。したがって、ＯＰＣを実行するときに、本体にセットされている光ディスクについて、最適記録パワーの大きさがある程度わかっているので、ＯＰＣにかかる時間の増加を抑えることができる。
【００１５】
なお、この場合には、光ディスク記録装置本体のメモリに、光ディスクの種別毎にレーザパワーの設計値を記憶させておいたり、光ディスクの製造メーカがインタネット上のサーバ装置で公開しているレーザパワーの設計値をダウンロードする構成を設ければよい。
【００１６】
【発明の実施の形態】
以下、この発明の実施形態である光ディスク記録装置について説明する。
【００１７】
図１は、この発明の実施形態である光ディスク記録装置の構成を示すブロック図である。この実施形態の光ディスク記録装置１は、本体の動作を制御する制御部２と、本体にセットされた光ディスク１０に対するデータの記録、および光ディスク１０に記録されているデータを読み取る記録／読取部３と、パーソナルコンピュータ等の外部機器から光ディスク１０に記録するデータの入力を受け付ける入力部４と、入力部４に入力されたデータをエンコードするエンコーダ５と、記録／読取部３が光ディスク１０から読み取ったデータをデコードするデコーダ６と、デコーダ６でデコードされたデータをパーソナルコンピュータ等の外部機器に出力する出力部７と、ユーザが本体に対する入力操作を行う操作部８と、公衆回線網等を介してインタネット上のサーバ装置（不図示）にアクセスするための通信部９と、を備えている。
【００１８】
記録／読取部３は、本体にセットされた光ディスク１０、例えばＣＤ−Ｒ／ＲＷ、ＤＶＤ−Ｒ／ＲＷ、を保持して回転させるスピンドルモータや、この光ディスク１０にレーザ光を照射するとともに、その反射光を検出するピックアップヘッド、ピックアップヘッドを光ディスク１０の半径方向に移動させるモータ、光ディスク１０に照射するレーザ光のパワーを制御するレーザドライバ等を有している。入力部４はパーソナルコンピュータ等から送られてきた光ディスク１０に記録するデータの入力を受け付け、エンコーダ５は入力部４が受け付けたデータをＭＰＥＧ２等の所定の形式に圧縮する。デコーダ６は、記録／読取部３が光ディスク１０から読み取ったデータを伸長し、出力部７はデコーダ６が伸長したデータをパーソナルコンピュータ等へ送る。操作部８には、本体に対する入力キーが設けられているとともに、図示していないリモコン装置から赤外線や電波で送信されてきた制御コードを受信する受信部も設けられている。
【００１９】
また、この実施形態の光ディスク記録装置１は、通信部９を有しており、インタネット上のサーバ装置にアクセスし、データをダウンロードして取得できる、所謂ネット家電である。ここでは、光ディスク１０の製造メーカが、販売している光ディスク１０の種別毎に、データの記録時における最適記録パワーの設計値（光ディスク１０の最適記録パワーの概略値）を公開しているサーバ装置にアクセスし、ダウンロードして取得するために通信部９を設けている。
【００２０】
以下、この発明の実施形態である光ディスク記録装置１の動作について説明する。
【００２１】
この実施形態の光ディスク記録装置１における再生処理は、公知の装置と同じである。まず、再生処理について簡単に説明しておく。この実施形態の光ディスク記録装置１は、操作部８において本体にセットされている光ディスク１０について再生を開始する旨のキー操作や、リモコンからの制御コードを受信すると、記録／読取部３において、本体にセットされている光ディスク１０をスピンドルモータで回転させるとともに、記録／読取部３のピックアップヘッドから光ディスク１０にレーザ光を照射し、その反射光を検出する。ピックアップヘッドから照射されるレーザ光のレーザパワーは予め定められた大きさである。記録／読取部３は、検出した反射光に応じたＲＦ信号を出力する。デコーダ６は、このＲＦ信号を処理し、光ディスク１０に記録されているデータを得るとともに、ここで得たデータを伸長する。デコーダ６で伸長されたデータは出力部７から外部機器へ出力される。
【００２２】
なお、光ディスク記録装置１は、入力部４を介して、パーソナルコンピュータ等の外部機器からデータの再生を指示する旨の入力があった場合も、同様に上記再生処理を実行する。
【００２３】
次に、この発明の実施形態である光ディスク記録装置１における記録処理について説明する。
【００２４】
まず、データの記録が行える光ディスク、、例えばＣＤ−Ｒ／ＲＷ、ＤＶＤ−Ｒ／ＲＷ、におけるデータの記録領域について簡単に説明しておく。一般に、データの記録が行える光ディスク１０は、図２に示すように、データの記録に先立って最適記録パワーを決定するＯＰＣを行うためのＯＰＣ領域１１、この光ディスク１０に記録されているデータのタイトルや記録位置を示す情報が記録されるリードイン領域１２、実際のデータが記録されるデータ領域１３が、内周側からこの順番に形成されている。また、ＯＰＣ領域１１のさらに内周側にこの光ディスク１０の製造メーカ、およびその種別を示すデータが製造メーカの出荷時に記録されている。
【００２５】
図３は、この発明の実施形態である光ディスク記録装置における記録処理を示すフローチャートである。光ディスク記録装置１は、操作部８において本体にセットされている光ディスク１０に対するデータの記録を開始する旨のキー操作や、リモコンからの制御コードを受信すると、この処理を開始する。
【００２６】
なお、入力部４を介して、パーソナルコンピュータ等の外部機器からデータの記録を指示する旨の入力があった場合も、同様にこの処理を実行する。
【００２７】
光ディスク記録装置１は、本体にセットされている光ディスク１０をスピンドルモータの回転軸に保持し、回転させる（ｓ１）。そして、本体にセットされている光ディスク１０のＯＰＣ領域１１の最外周の記録領域に、この光ディスク１０に対するレーザ光の最適記録パワーを示すデータが記録されているかどうかを確認する（ｓ２）。
【００２８】
なお、一般に販売されている光ディスク１０は、ＯＰＣ領域１１の最外周の記録領域に上記最適記録パワーが記録されていることはなく、後述するようにこの実施形態の光ディスク記録装置１によってＯＰＣ領域１１の最外周の記録領域に最適記録パワーが記録される。
【００２９】
光ディスク記録装置１は、ｓ２で最適記録パワーが記録されていないければ、ＯＰＣ領域１１の内側に記録されている、この光ディスク１０の製造メーカ、および光ディスクの種別を読み出す（ｓ３）。光ディスク記録装置１は、ｓ３で読み出した製造メーカのサーバ装置（インタネット上にあるサーバ装置）にアクセスし、ｓ３で読み出した種別の光ディスク１０についてデータの記録時における最適記録パワーの設計値を取得する（ｓ４）。
【００３０】
光ディスク記録装置１は、ｓ４でデータの記録時におけ最適記録パワーの設計値を取得すると、このけ最適記録パワーの設計値に基づいて光ディスク１０のＯＰＣ領域１１にデータの試し書きを行い、データの記録が最適になるレーザパワー（最適記録パワー）を決定するＯＰＣ処理を実行する（ｓ５）。光ディスク記録装置１は、ｓ５にかかるＯＰＣ処理で最適記録パワーを取得すると、この最適記録パワーをＯＰＣ領域１１の最外周の記録領域に記録する（ｓ６）。
【００３１】
そして、入力部４を介して外部機器から入力された光ディスク１０に記録するデータを、本体にセットされている光ディスク１０のデータ領域１３に記録する処理を開始する（ｓ７）。このｓ７では、上記ｓ５にかかるＯＰＣ処理で取得した最適記録パワーで光ディスク１０に対するデータの記録を行う。また、入力部４に入力されたデータは、エンコーダ５で所定の形式に圧縮され、光ディスク１０に記録される。
【００３２】
光ディスク記録装置１は、光ディスク１０に対するデータの記録が完了すると（ｓ８）、今回記録したデータのタイトルや記録位置を示す情報をリードイン領域１２に記録し（ｓ９）、本処理を終了する。
【００３３】
また、光ディスク記録装置１は、ＯＰＣ領域１１の最外周の記録領域に最適記録パワーが光ディスク１０に記録されていると、この記録されている最適記録パワーを読み出し（ｓ２→ｓ１０）、ｓ１１で入力部４を介して外部機器から入力されたデータを、この光ディスク１０のデータ領域１３に記録する処理を開始する。上記ｓ７とｓ１１にかかる処理は略同じ処理であるが、ｓ１１では光ディスク１０から読み取った最適記録パワーで光ディスク１０に対するデータの記録を行う。その後、光ディスク記録装置１は、ｓ８で光ディスク１０に対するデータの記録が完了するのを待って、ｓ９で今回記録したデータのタイトルや記録位置を示す情報をリードイン領域１２に記録し、本処理を終了する。
【００３４】
したがって、この光ディスク記録装置１は、本装置において初めてデータを記録する光ディスク１０に対して、ＯＰＣ領域１１に試し書きを行い（ＯＰＣを実行し、）、データの記録が初めてでない（２回目以降の）光ディスク１０についてはＯＰＣ領域１１に試し書きを行わない（ＯＰＣを実行しない。）。このため、光ディスク１０に対するデータの記録回数に制限されることなく、光ディスク１０に対するデータの記録が行える。また、本装置における２回目以降のデータの記録においても、データを記録する光ディスク１０に対してＯＰＣを実行し、そのときに取得した最適記録パワーでデータを記録するので、２回目以降のデータの記録においてもデータの記録が適正に行える。さらに、２回目以降の記録においては、ＯＰＣを実行しないので、その分だけデータの記録にかかる時間を短縮することができる。
【００３５】
さらに、ＯＰＣを実行するときには、インタネット上にある製造メーカのサーバ装置にアクセスし、ここで公開されている、データの記録時における最適記録パワーの設計値を取得し、この設計値に基づいてＯＰＣを実行する構成としたので、このＯＰＣ処理にかかる時間の増加も十分に抑えられる。
【００３６】
なお、上記実施形態では、ＯＰＣを実行するとき、インタネット上にある製造メーカのサーバ装置にアクセスし、データの記録時における最適記録パワーの設計値を取得するとしたが、本体のメモリ（不図示）に光ディスク１０種別毎に上記データの記録時における最適記録パワーの設計値を記憶させておき、このメモリから読み出し、ＯＰＣを実行するようにしてもよい。このようにすれば、通信部９を不要にでき、本体のコストダウンが図れる。
【００３７】
また、上記実施形態では、ＯＰＣを実行したときに取得した最適記録パワーを、ＯＰＣ領域１１の最外周の領域に記録するとしたが、データ領域１３の最内周の領域等、他の領域に記録してもよい。但し、本装置以外の装置で光ディスク１０に対してデータの記録が先に行われることを考慮すると、ＯＰＣ領域１１の最外周の領域に最適記録パワーを記録するのが好ましい。なぜなら、ＯＰＣ領域１１の最外周の領域は、本装置が初めてデータを記録するときに、別の装置がすでにＯＰＣ処理で使用していたり、データを記録している可能性が最も低いからである。
【００３８】
【発明の効果】
以上のように、この発明によれば、本装置で過去にデータを記録したことがない光ディスクについては、ＯＰＣを実行してレーザ光の最適記録パワーを取得し、ここで取得した最適記録パワーでデータの記録を行う。また、本装置で過去にデータを記録したことがある光ディスクについては、ＯＰＣを実行することなく、光ディスクから読み取ったレーザ光の最適記録パワーでデータの記録を行う。このため、光ディスクに対するデータの記録回数に制限されることなく、この光ディスクに対してデータの記録が行える。また、光ディスクに記録されている最適記録パワーは、この光ディスクに対してＯＰＣを実行し、取得したものであるから、２回目以降のデータの記録においてもデータの記録が適正に行える。さらに、２回目以降の記録においては、ＯＰＣを実行しないので、その分だけデータの記録にかかる時間を短縮することができる。
【図面の簡単な説明】
【図１】この発明の実施形態である光ディスク記録装置の構成を示すブロック図である。
【図２】データの記録が行える光ディスクにおける記録領域の構成を示す図である。
【図３】この発明の実施形態である光ディスク記録装置における記録処理を示すフローチャートである。
【符号の説明】
１−光ディスク記録装置
２−制御部
３−記録／読取部
４−入力部
５−エンコーダ
６−デコーダ
７−出力部
８−操作部
９−通信部
１０−光ディスク
【図１】
2004342148.tif 000003
【図２】
2004342148.tif 000004
【図３】
2004342148.tif 000005